(57)【要約】【課題】電気電子機器収納箱の開口部への取付作業が簡単なうえ換気扇を取り付けても換気扇の振動により取付が緩むことのない電気電子機器収納箱用ルーバーを提供する。【解決手段】電気電子機器収納箱２００に透設した換気用の円形の開口部２０１に外側から嵌合したルーバー本体１の背面に連設した短円換気筒部１１の外周に取付リング２を嵌着して電気電子機器収納箱２００に取付ける電気電子機器収納箱用ルーバーにおいて、取付リング２の内面に添わせて複数のばね板部２１を設け、該ばね板部２１に前記短円換気筒部１１の外周に設けた雄ねじ部１２に螺合できるねじ山部１２ａを設ける。【選択図】図１
2008196714.tif 000002
【特許請求の範囲】
【請求項１】
電気電子機器収納箱に透設した換気用の開口部に外側から嵌合したルーバー本体の背面に連設した短円換気筒部の外周に取付リングを嵌着して電気電子機器収納箱に取付ける電気電子機器収納箱用ルーバーにおいて、取付リングの内面に添うように複数のばね板部を設け、該ばね板部に前記短円換気筒部の外周に設けた雄ねじ部に螺合できるねじ山部を設けたことを特徴とする電気電子機器収納箱用ルーバー。
【請求項２】
取付リングに換気扇固定ねじ螺合用の雌ねじ部を該雌ねじ部のねじ孔の端部が臨む個所がばね板部の外面側に位置するように設けるとともに、ばね板部の外面に前記雌ねじ部に螺合した換気扇固定ねじの軸部が当接する当接部を設けた請求項１に記載の電気電子機器収納箱用ルーバー。
【発明の詳細な説明】
【技術分野】
【０００１】
本発明は、電気・電子機器を収納した電気電子機器収納箱に透設した開口部に取り付けてガラリにより雨水の浸入を防止して箱内の換気を行う電気電子機器収納箱用ルーバーに関するものである。
【背景技術】
【０００２】
電気電子機器収納箱の開口部に取り付けてルーバーにより雨水の浸入を防止して箱内の換気を行う電気電子機器収納箱用ルーバーとしては、図８に示すようにガラリ１００ａを備えたルーバー本体１００の背面に連設した短円換気筒部１０１の外周に雄ねじ部１０２を設けて、該短円換気筒部１０１を電気電子機器収納箱２００の円形開口部２０１に外側から嵌合して、前記雄ねじ部１０２に取付リング３００の雌ねじ部３０１を螺合して取り付けたものが知れている（例えば、特許文献１参照）。
【０００３】
ところが、前記のような従来のものは取付リング３００を数回回転させて固定しなければならないため、作業に時間がかかる問題がある。また、換気効率を上げるため換気扇を取り付けた場合に換気扇の振動により取付リング３００の緩みが発生しやすいものであった。
【特許文献１】実開平６−３１１９７号公開公報
【発明の開示】
【発明が解決しようとする課題】
【０００４】
本発明は前記のような従来の問題点を解決して、電気電子機器収納箱の開口部への取付作業が簡単なうえ換気扇を取り付けても換気扇の振動により取付が緩むことのない電気電子機器収納箱用ルーバーを提供する。
【課題を解決するための手段】
【０００５】
本発明の電気電子機器収納箱用ルーバーは、電気電子機器収納箱に透設した換気用の開口部に外側から嵌合したルーバー本体の背面に連設した短円換気筒部の外周に取付リングを嵌着して電気電子機器収納箱に取付ける電気電子機器収納箱用ルーバーにおいて、取付リングの内面に添うように複数のばね板部を設け、該ばね板部に前記短円換気筒部の外周に設けた雄ねじ部に螺合できるねじ山部を設けたことを特徴とするものを基本の発明とする。
【０００６】
そして、この発明において、取付リングに換気扇固定ねじ螺合用の雌ねじ部を該雌ねじ部のねじ孔の端部が臨む個所がばね板部の外面側に位置するように設けるとともに、ばね板部の外面に前記雌ねじ部に螺合した換気扇固定ねじの軸部が当接する当接部を設けることが好ましい。
【発明の効果】
【０００７】
前記した本発明の電気電子機器収納箱用ルーバーは、取付リングは内面に添うように複数のばね板部を設け、該ばね板部に短円換気筒部の外周に設けた雄ねじ部に螺合できるねじ山部を設けたものであるから、電気電子機器収納箱に透設した開口部に外側から嵌合した短円換気筒部に取付リングを嵌着する際に該取付リングを短円換気筒部に向け押し込む。そうすると、複数のばね板部に設けたねじ山部が短円換気筒部の外周に設けた雄ねじ部の山部に当って前記ばね板部は外向きに撓んで該雄ねじ部の山部を乗越えたうえ取付リングの先端面が開口部の周面に達したらばね板部に設けたねじ山部が雄ねじ部の谷部に係合して雄ねじ部に螺合した状態となるので、その後に螺合方向に少し締めるだけで容易に取り付けできるもので取付リングを数回回転させるという面倒な作業を不要とするものである。逆に取付リングを取り外す時には取付リングを緩め方向に回転させればばね板部に設けたねじ山部が雄ねじ部との螺合を解かれて取り外すことができるものである。
【０００８】
また、取付リングに換気扇固定ねじ螺合用の雌ねじ部を該雌ねじ部のねじ孔の端部が臨む個所がばね板部の外面側に位置するように設けるとともに、ばね板部の外面に前記雌ねじ部に螺合する換気扇固定ねじの軸部が当接する突起部を形成したものとすれば、取付リングに換気扇固定ねじにより換気扇を短円換気筒部の背面に臨むように取り付ける場合に、換気扇固定ねじの軸部がばね板部の外面の当接部に当接してばね板部の外向きへの撓みを規制するので、短円換気筒部の外周の雄ねじ部に螺合しているばね板部のねじ山が換気扇の振動により外れることなく強固に固定できるものである。
【発明を実施するための最良の形態】
【０００９】
次に、本発明の好ましい実施の形態を図に基づき説明する。
図１において、１は前面にガラリ１ａを備えたルーバー本体であり、該ルーバー本体１は背面に短円換気筒部１１を連設し、該短円換気筒部１１を電気電子機器収納箱２００に透設した円形の開口部２０１に外側から嵌合するものである。そして、該短円換気筒部１１の外周に取付リング２を嵌着して電気電子機器収納箱に取付ける。
【００１０】
前記短円換気筒部１１の外周に取付リング２を嵌着する手段は、短円換気筒部１１の外周に雄ねじ部１２を設け、他方取付リング２の内面に添うように複数のばね板部２１を設けて該複数のばね板部２１に前記短円換気筒部１１の外周に設けた雄ねじ部１２に螺合するねじ山部２１ａを備えたものとしている。
【００１１】
短円換気筒部１１に取付リング２を嵌着する作業は、先ず、該取付リング２を短円換気筒部１１に向けて押し込む。そうすると、複数のばね板部２１に設けたねじ山部２１ａが短円換気筒部１１の外周に設けた雄ねじ部１２の山部に当って前記ばね板部２１は外向きに撓んで該雄ねじ部１２の山部を乗越えたうえ取付リング２の先端面が円形の開口部２０１の周面に達したらばね板部２１に設けたねじ山部２１ａが雄ねじ部１２の谷部に係止して雄ねじ部１２に螺合した状態となるので、その後に螺合方向に少し締めるだけで容易に取り付けできるもので取付リングを数回回転させるという面倒な作業を不要とするものである。
【００１２】
また、逆に取付リング２を取り外す時には取付リング２を緩め方向に回転させればばね板部２１に設けたねじ山部２１ａが雄ねじ部１２との螺合を解かれて取り外すことができるものである。
【００１３】
なお、前記ねじ山部２１ａを備えたばね板部２１は取付リング２の一方の端面内側に基端をもって連繋させて設け、また、ばね板部２１の外面が位置する取付リング２の内側にはばね板部２１が外側に撓む空間２２を形成している。すなわち、図示のものは短円換気筒部１１に嵌着するルーバー本体１側である先端面とは反対側の取付リング２の基端面内側に等間隔に６枚のばね板部２１をその基端をもって連繋して設ける構成を採用し、また、該ばね板部２１が外側に撓む空間２２は一つ置きの３枚のばね板部２１については取付リング２のばね板部２１の外面が臨む内面に窪み部２２ａを形成したものとし、他の３枚のばね板部２１については取付リング２のばね板部２１の外面が臨む先端面側の個所を切欠部２２ｂに形成したものとしている。
【００１４】
また、取付リング２には換気扇固定ねじ螺合用の雌ねじ部３０を該雌ねじ部３０のねじ孔の端部が臨む個所がばね板部２１の外面側に位置するように設けてあるとともに、ばね板部２１の外面に前記雌ねじ部３０に螺合する換気扇固定ねじ３１の軸部が当接する突起部２１ｂを設けている。
【００１５】
すなわち、図示のものは雌ねじ部３０を、６枚のばね板部２１の全てに対応させることなく取付リング２のばね板部２１の外面が臨む個所を切欠部２２ｂに形成した該切欠部２２ｂの底部基端側に設けたものとしている。また、取付リング２の他のばね板部２１が設けた個所の基端面には換気扇仮止め用の係止爪付きの係止突起２１ｃが設けられており、換気扇３の先端面に設けた係止孔３２と係合するものとしている。
【００１６】
このように取付リング２に換気扇固定ねじ螺合用の雌ねじ部３０を設けることにより、換気扇固定ねじ３１により換気扇３を短円換気筒部１１の背面に臨むように取り付ければ、換気扇固定ねじ３１の先端側の軸部が雌ねじ部３０の基端から抜け出てばね板部２１の外面に設けられた該軸部が当接する当接部である突起部２１ｂに当接して該ばね板部２１の外向きへの撓みを規制するので、短円換気筒部１１の外周の雄ねじ部１２に螺合しているばね板部２１のねじ山部２１ａが換気扇の振動により外れることなく強固に固定できるものである。
【００１７】
なお、前記のようにばね板部２１を取付リング２の基端面内側に基端をもって連繋して設けた構成を採用することなく、これとは逆にばね板部２１を取付リング２の先端面内側に基端をもって連繋して設ける構成を採用してもよい。この場合にばね板部２１が外側に撓む空間２２に形成する切欠部２２ｂは取付リング２のばね板部２１の外面が臨む基端面側の個所に形成し、また、換気扇固定ねじ螺合用の雌ねじ部３０も取付リング２の先端面側に設けることとなる。また、雌ねじ部３０も取付リング２の先端面側に設けることとなるため、ばね板部２１の外面の突起部２１ｂに当接する換気扇固定ねじ３１の軸部も雌ねじ部３０に螺合する換気扇固定ねじ３１の先端側よりねじ頭部側の軸部となる。
【図面の簡単な説明】
【００１８】
【図１】本発明の実施形態を分解して示す斜視図。
【図２】ルーバー本体と取付リングを示す斜視図。
【図３】取付リングの概略断面図。
【図４】換気扇を装着して換気扇固定ねじを螺合していない状態の断面図。
【図５】換気扇を装着して換気扇固定ねじを螺合していない状態の要部断面図。
【図６】換気扇を装着して換気扇固定ねじを螺合した状態の断面図。
【図７】換気扇を装着して換気扇固定ねじを螺合した状態の要部断面図。
【図８】従来例を示す斜視図。
【符号の説明】
【００１９】
１  ルーバー本体
11  短円換気筒部
12  雄ねじ部
２  取付リング
21  ばね板部
21a  ねじ山部
21b  突起部
30  換気扇固定ねじ螺合用の雌ねじ部
31  換気扇固定ねじ
【図１】
2008196714.tif 000003
【図２】
2008196714.tif 000004
【図３】
2008196714.tif 000005
【図４】
2008196714.tif 000006
【図５】
2008196714.tif 000007
【図６】
2008196714.tif 000008
【図７】
2008196714.tif 000009
【図８】
2008196714.tif 000010